(57)【要約】本発明は、電子セラミックが使用されている技術の分野からのものである。電子セラミック付きデバイスは、電子セラミック製である要素（１）を有し、エネルギーを伝達するようにできている要素が電子セラミック製である要素と接続される。電子セラミック付きデバイスはフレーム（２）内に入っている。本発明の構造的特徴は、電子セラミック製である要素の効果的な使用の機会を提供する。本発明は、構造が簡単であり、使用において快適で経済的であり、作業のための準備に時間がかからない。
2006527505.tif 000002
【特許請求の範囲】
【請求項１】
電子セラミック付きデバイスであって、電子セラミック付きデバイス（およびその変形）を含み、前記電子セラミック付きデバイス（およびその変形）の機能を効果的にするために、前記電子セラミック付きデバイス（およびその変形）がフレーム内にあることを特徴とするデバイス。
【請求項２】
電子セラミック付きデバイス（およびその変形）であって、電子セラミック製である要素を含み、電子セラミック製である前記要素の機能を効果的にするために、電子セラミック製である前記要素がエネルギーを伝達する要素と接続されることを特徴とするデバイス。
【請求項３】
前記電子セラミック付きデバイス（およびその変形）を使用するための方法であって、電子セラミック製である要素の使用を含み、前記電子セラミック付きデバイス（および変形）の機能を効果的にするために、前記電子セラミック付きデバイス（およびその変形）が、すべての妨害要因を可能な限り最大限に除去して使用されることを特徴とする方法。
【請求項４】
前記電子セラミック付きデバイス（およびその変形）が接続によって使用されることを特徴とする、請求項３に記載の電子セラミック付きデバイス（およびその変形）の使用方法。
【請求項５】
前記電子セラミック付きデバイス（およびその変形）との接続が行われることを特徴とする、請求項３および４に記載の電子セラミック付きデバイス（およびその変形）の使用方法。
【発明の詳細な説明】
【技術分野】
【０００１】
本発明は、技術の分野に関し、電子セラミックが使用されている技術に関する。
【背景技術】
【０００２】
本発明は、また、情報の受信および送信（超音波診断システムによる診療中の情報の受信を含む）、種々の材料の処理、腫瘍および結石の破壊を可能にするための装置と一緒に使用することもでき、加速度計、雷管、フラッシュ装置スタータ、イヤホン、補聴器、心臓ポンプ、ブザー、ラウドスピーカ（高周波）、機械駆動、電気機械錠、化学処理装置（乳化機、重合装置、滅菌器など）において使用され、自動機械および遠隔機構、電気機械変換器（例えば、マイクロホン、電話機、水中聴音器）の圧電センサ、超音波溶接、遅延線、フィルタ、励磁機、変換器、表面弾性波関連デバイスなどで使用することもできる。
機械的な波を電気的な波に変換する圧電変換器、およびその逆の変換器が周知である；百科事典第２巻、出版社「Ｓｏｖｅｔｓｋａｙａ  ｅｎｃｙｃｌｏｐｅｄｉａ」、２７５ページ（非特許文献１）。
この類似技術の欠点は、直接および帰還用圧電効果の現れ方が不十分であり、広く使用することが難しいことである。
圧電要素（電極付き圧電体からできている部品）、類似技術も周知である；Ｅｌｅｃｔｒｏｎｉｃｓ，“Ｅｎｃｙｃｌｏｐｅｄｉｃｈｅｓｋｙ  ｓｌｏｖａｒ”，Ｍｏｓｃｏｗ，Ｓｏｖｅｔｓｋａｙａ  ｅｎｃｙｃｌｏｐｅｄｉａ，１９９１，ｐ．４４４（非特許文献２）。
この類似技術の欠点は、圧電体液晶として機能することが不可能であるため、電極は、直接および帰還用圧電効果の発生の信頼性の高い効果を確保できないことである。
圧電体、類似技術が周知である；Ｅｎｃｙｃｌｏｐｅｄｉｃ  ｄｉｃｔｉｏｎａｒｙ  ｏｎ  ｐｈｙｓｉｃｓ、ｖ．４、出版社「Ｓｏｖｅｔｓｋａｙａ  ｅｎｃｙｃｌｏｐｅｄｉａ」、ｐ．２５１（非特許文献３）
この類似技術の欠点は、直接および帰還用圧電効果を確保した必要な構造形式でそれを使用する場合に、調整の発生の可能性があることである。
圧電性プロトタイプの結晶誘電体が周知であり、これは機械的歪みの影響下で分極化することができ（直接圧電効果）、黙視の外部フィールドの下で測定することができる（帰還用圧電効果）；Ｅｌｅｃｔｒｏｎｉｃ，“Ｅｎｃｙｃｌｏｐｅｄｉａ  ｓｌｏｖａｒ”，Ｍｏｓｃｏｗ，Ｓｏｖｅｔｓｋａｙａ  ｅｎｃｙｃｌｏｐｅｄｉａ，１９９１，ｐ．４４４４（非特許文献４）
このプロトタイプの欠点は、直接および帰還用圧電効果を十分有効に確保することができない点である。さらに、このプロトタイプの欠点は、他の電子セラミックと同様に使用できないことである。
【非特許文献１】百科事典第２巻、出版社「Ｓｏｖｅｔｓｋａｙａ  ｅｎｃｙｃｌｏｐｅｄｉａ」、２７５ページ
【非特許文献２】Ｅｌｅｃｔｒｏｎｉｃｓ，“Ｅｎｃｙｃｌｏｐｅｄｉｃｈｅｓｋｙ  ｓｌｏｖａｒ”，Ｍｏｓｃｏｗ，Ｓｏｖｅｔｓｋａｙａ  ｅｎｃｙｃｌｏｐｅｄｉａ，１９９１，ｐ．４４４
【非特許文献３】Ｅｎｃｙｃｌｏｐｅｄｉｃ  ｄｉｃｔｉｏｎａｒｙ  ｏｎ  ｐｈｙｓｉｃｓ、ｖ．４、出版社「Ｓｏｖｅｔｓｋａｙａ  ｅｎｃｙｃｌｏｐｅｄｉａ」、ｐ．２５１
【非特許文献４】Ｅｌｅｃｔｒｏｎｉｃ，“Ｅｎｃｙｃｌｏｐｅｄｉａ  ｓｌｏｖａｒ”，Ｍｏｓｃｏｗ，Ｓｏｖｅｔｓｋａｙａ  ｅｎｃｙｃｌｏｐｅｄｉａ，１９９１，ｐ．４４４４
【発明の開示】
【０００３】
（発明が解決しようとする課題）
本発明の目的は、その使用時に、電子セラミックを効果的に使用する機会を得ることができる電子セラミック付きデバイス（およびその変形）を生成することである。
【０００４】
（課題を解決するための手段）
上記目的は、本発明によるフレーム内にある電子セラミック付きデバイス（およびその変形）において達成される。
上記目的は、本発明による電子セラミック製である要素が、エネルギーを伝達する要素と接続されている電子セラミック付きデバイス（およびその変形）において達成される。
上記目的は、本発明による電子セラミック付きデバイス（およびその変形）の使用方法に従って、電子セラミック付きデバイス（およびその変形）を、すべての妨害要因を最大限に除去して使用することによって達成される。
さらに、上記電子セラミック付きデバイス（およびその変形）は、接続によって使用される。
さらに、上記電子セラミック付きデバイス（およびその変形）は、接続が行われる。
上記電子セラミック付きデバイス（およびその変形）の形式は、
ａ）作られた要素の効果的な使用の可能性を確保し、
ｂ）必要に応じて、直接および帰還用圧電効果の出現の可能性を確保し、
ｃ）電子セラミックの包含しているエネルギーの可能性を確保し、
ｄ）電子セラミックの包含しているエネルギーの可能性を確実にし、
ｅ）必要に応じて、電子セラミック付きデバイスにおける圧電性物質からできている要素の助けによって、電子セラミック付きデバイスの信頼性の高い音響接触を確実にし、
ｆ）構造が簡単であり、耐久性があり、使用が経済的であり、作業のための準備に多くの時間を取らない。
本発明の変形版が図に示されている。
【０００５】
（図面の簡単な説明）
図１は、電子セラミック付きデバイス（およびその変形）である。
図２は、電子セラミック付きデバイスである。
【発明を実施するための最良の形態】
【０００６】
図１の「電子セラミック付きデバイス」（およびその変形）は、電子セラミック製である要素１と、電子セラミック製である要素１と接続されてエネルギーを伝達するようにできている要素２および３とを有する。エネルギーを伝達するようにできている要素２は接触面４を有する。
図２の「電子セラミック付きデバイス」は、フレーム２内に入っている電子セラミック付きデバイス（およびその変形）１（図１による）を有する。
「電子セラミック付きデバイス」（およびその変形）は、次のように使用される。図１の電子セラミック付きデバイス（およびその変形）は、すべての妨害要因が最大限に除去されて、（必要に応じて）フレーム（図２）内に入れられる。図１および図２の電子セラミック付きデバイス（およびその変形）の（使用のこの変形における、使用圧電体（変形）の）電子セラミック製である要素１は、要素２および３（図１および図２）の助けによって（すべての妨害要因が最大限に除去されて）、例えば、ミリアンペアメータなどのその目的のために使用される装置（図１に図示せず）と接続される。
接続（すべての妨害要因が最大限に除去されて）の後、（図１および図２の１に従って、使用のこの変形における、使用圧電体（変形）の）電子セラミック製である電源励振素子を備える接触面４（図１）がエネルギーで包含される。次に、（使用圧電体（変形）の電子セラミック製である要素１の直接圧電効果の発生において）（使用のこの変形における、使用圧電体（変形）の）電子セラミック製である励起された要素１の電気エネルギーの形式でのエネルギー、電気が、（使用のこの変形における、使用圧電体（変形）の）電子セラミック製である励起された要素１のエネルギーを使用する必要がある装置に、例えば、ミリアンペアメータに、電力（使用の変形）を記録して伝達される。
「電子セラミック付きデバイス」（およびその変形）は、次のように使用される。事前に、すべての妨害要因を最大限に除去している電子セラミック付きデバイス（図１）が（必要に応じて）フレーム（図６）内に置かれる。電子セラミック付きデバイス（図１および図２）の（この使用の変形における、使用圧電体（変形）の）電子セラミック製である要素１が、（すべての妨害要因を最大限に除去して）その目的で使用される装置と（例えば、電源と接続されている超音波療法（ＵＺＴ−１０１）のための超音波発生器と）接続される。次に、電子セラミック付きデバイス（図１および図２）の接触面（図１の４）が、すべての妨害要因が最大限に除去されて、超音波で包含される表面と接続される。次に、電源に接続されている超音波発生器、およびその超音波で包含される表面が、超音波（図１および図２に図示せず）で包含される（使用の変形）。
電子セラミック付きデバイス（およびその変形）の実際の使用例
【０００７】
１．例：電子セラミック付きデバイス（およびその変形）の使用方法は、次のように実行される。ミリアンペアメータと導体で接続されていて、事前に（すべての妨害要因が最大限に可能な限り除去されている）圧電体（使用の変形）からできている圧電要素を含む電子セラミック付きデバイス（およびその変形）の接触面上で、すべての妨害要因を最大限に可能な限り除去して、圧力のエネルギーでその影響が伝達される。図１および図２の電子セラミック付きデバイス（およびその変形）の圧電体（使用の変形）からできている要素の直接圧電効果の発生に伴って、電力がミリアンペアメータで記録される（図１および図２に図示せず）（使用の変形）。
【０００８】
２．例：２７才の患者アブルツカヤ（Ａｖｒｕｔｓｋａｙａ）Ｖ．Ａ．は、両耳が聞こえない。実質的に両方の耳が聞こえなくなっていて、耳の中に絶えず雑音が聞こえるという症状を訴えて治療を受けた。病歴から、化膿性の髄膜脳炎の後、１９８６年１１月以来病気であることが分かっている。０３．０９．１９８６の聴力図は、両耳の空気中および骨の伝達における音響的認識のしきい値の増加を示している。聴力測定の特性は両側の感覚神経に障害のある聴力に等しい。彼女は、総合診療所および病院において医者によって何回も検査され、治療された。両側感覚神経症、難聴、両耳の強度難聴という診断が与えられた。
【０００９】
図１および図２の電子セラミック付きデバイス（およびその変形）は、次のように使用される。図１および図２の圧電体（使用の変形）からできている要素を含む電子セラミック付きデバイス（およびその変形）は、事前に（すべての妨害要因が最大限に除去されて）フレーム（図２）内に置かれる。導体の助けによって（すべての妨害要因が最大限に除去されて）、エネルギー（図１および図２に図示せず）を伝達する電子セラミック付きデバイス（およびその変形）の要素（図１および図２）と接続している超音波エミッタが、超音波発生器に接続される。患者は、治療される耳と反対側の耳を下にして横になっている。患者の頭には、ヒンジ（超音波エミッタを固定するためのロック）が付いたヘッドバンドが置かれている。治療する外側の聴取ダクトの中に０．５ｍｌの医療調整用カヴィントン（ｋａｖｉｍｔｏｎ／ｋａｖｉｎｔｏｎ）が注ぎ込まれ、これが外側の聴取ダクト内の空気を置き換える。ヘッドバンドのヒンジ・ロック上に、超音波エミッタが置かれる。次に、超音波エミッタの接触面上に、カヴィントンが一滴置かれ、超音波エミッタの接触面から超音波の広がりを妨げているすべての要因を最大限に置き換え、取り除き、超音波エミッタの動作中に発する超音波が影響するようにする。次に、超音波エミッタが、ヘッドバンドのヒンジ・ロック上に固定され、外側の聴取ダクトの中に置かれる。次に、超音波発生器がオンにされ、カヴィントンによる超音波伝達の手順が、数分間、８８０ｋＨｚの周波数の超音波の一定モードにおいて、０．０５ｗ／ｃｍの超音波強度のモードで行われる。
【００１０】
その手順の終了後に、超音波治療用のデバイスがオフにされる。超音波電気泳動の手順が終了する。超音波伝達の手順の間、患者は、同じ耳についてカヴィントンでの耳内の電気泳動の手順を通過した。この患者は、超音波電気泳動の処置を受けた。治療後、超音波エミッタを備えるヒンジ・ロック付きヘッドバンドが患者のヘッドから取り除かれ、無関係な電極も取り除かれた。カヴィントンによる超音波電気泳動の１０回の治療（１つの耳について、一日に１回、両耳を順番に）が行われた後、２回の電気泳動の処置がカヴィントンによってその患者に行われた（１つの耳について、一日１回、両耳を順番に）。カヴィントンによる超音波電気泳動の処置と同時に、患者は改善を感じなかったが、耳の中の雑音が減少したと感じた。
【００１１】
特許請求の範囲に記載した本発明の構造の特徴（構造）は、その使用中に直接および帰還用圧電効果の出現の可能性（使用中の）を確実にすることができることである。特許請求の範囲に記載した本発明は、電子セラミック製である要素の効果的な使用の可能性を確実にし、電子セラミックのエネルギーの作用を確実にする。特許請求の範囲に記載した本発明は、圧電体と一緒に使用される場合には、超音波によって影響されるデバイスの信頼性の高い音響接触を確実にする。
特許請求の範囲に記載した本発明は、構造が簡単で、構成しやすく、耐久性があり、使用が経済的であり、作業のための準備に時間があまりかからない。
【００１２】
著者：イワノフ、ウラジミール
情報源：１．Encyclopedic dictionary on Pysics,v.4, 発行者“Sovetskaya
encyclopedia”,p.251.
【図面の簡単な説明】
【００１３】
【図１】電子セラミック付きデバイス（およびその変形）である。
【図２】電子セラミック付きデバイスである。
【符号の説明】
【００１４】
図１の１  要素１（電子セラミック製）    
図１の２  要素２（要素１と接続されてエネルギーを伝達するようにできている）    
図１の３  要素３（要素１と接続されてエネルギーを伝達するようにできている）
図１の４  接触面
図２の１  電子セラミック付きデバイス（およびその変形）
図２の２  フレーム
【図１】
2006527505.tif 000003
【図２】
2006527505.tif 000004
【国際調査報告】
2006527505.tif 000005
2006527505.tif 000006